(57)【要約】【課題】組立足場および手摺部材を提供すること。【解決手段】  相互に第１の長さ離隔して並設される複数段の垂直枠と、隣接する２の垂直枠を連結する足場用板と、長手方向の両側に連結部を有し、隣接する２の垂直枠と前記連結部により連結される手摺部材と、を備え、前記手摺部材と前記垂直枠との連結位置は、前記足場用板より第２の長さ高い位置であり、前記手摺部材の一側の連結部から他側の端までの長さは、前記第１の長さである辺、および前記第２の長さである辺を有する直角三角形の斜辺の長さ以上である、組立足場。【選択図】図６
2011012428.tif 000002
【特許請求の範囲】
【請求項１】
相互に第１の長さ離隔して並設される複数段の垂直枠と；
隣接する２の垂直枠を連結する足場用板と；
長手方向の両側に連結部を有し、２の垂直枠と前記連結部により連結される手摺部材と；
を備え、
前記手摺部材と前記垂直枠との連結位置は、前記足場用板より第２の長さ高い位置であり、
前記手摺部材の一側の連結部から他側の端までの長さは、前記第１の長さである辺、および前記第２の長さである辺を有する直角三角形の斜辺の長さ以上である、組立足場。
【請求項２】
組立足場において水平方向に設けられる手摺部材であって：
長手方向の両側に形成された２の貫通孔を有し、
一側の貫通孔から前記手摺部材の他側の端までの長さは、４００ｍｍである辺、および前記２の貫通孔間の長さである辺を有する直角三角形の斜辺の長さ以上である、手摺部材。
【請求項３】
四角形を構成する各頂点に配置される４の垂直棒と；
前記四角形の４辺を構成するように前記４の垂直棒と連結される４の水平棒と；
第１の長さの間隔で対向する一対の水平棒の上に配置される足場用板と；
長手方向の両側に連結部を有し、隣接する２の垂直棒と前記連結部により連結される手摺部材と；
を備え、
前記手摺部材と前記垂直棒との連結位置は、前記足場用板より第２の長さ高い位置であり、
前記手摺部材の一側の連結部から他側の端までの長さは、前記第１の長さである辺、および前記第２の長さである辺を有する直角三角形の斜辺の長さ以上であり、
前記連結部は、前記手摺部材の長手方向に形成された開口部、および前記開口部に沿って移動可能な連結用部材を備える、組立足場。
【発明の詳細な説明】
【技術分野】
【０００１】
本発明は、組立足場および手摺部材に関する。
【背景技術】
【０００２】
建築現場では、職人の足場となる組立足場が構築される。職人は、この組立足場を利用することにより任意の位置での作業を行うことが可能である。なお、組立足場については、例えば特許文献１に記載されている。
【先行技術文献】
【特許文献】
【０００３】
【特許文献１】特開２００７−３０９０４４号公報
【発明の概要】
【発明が解決しようとする課題】
【０００４】
しかし、従来の組立足場においては、手摺部材の着脱時に事故が多発していた。この問題について、図１１および図１２を参照して説明する。
【０００５】
図１１は、従来の組立足場７の構成を示した説明図である。図１１に示したように、従来の組立足場７は、相互に離隔して並設された複数段の垂直枠１０と、ブレス１２と、手摺部材１４と、隣接する垂直枠１０を連結する足場用板１６を備える。このような組立足場７において手摺部材１４を外そうとすると、図１２に示すように、手摺部材１４が落下してしまうという事故が発生していた。
【０００６】
図１２は、従来の組立足場７において手摺部材１４が落下してしまう様子を示した説明図である。手摺部材１４の取り外しは、通常一人の職人が行う。このため、職人はまず、図１２上図に示したように、手摺部材１４の一端を垂直枠１０から取り外し、例えば足場用板１６の上に置いておく。その後に、手摺部材１４の他端を垂直枠１０から取り外す。
【０００７】
しかし、従来の手摺部材１４は、垂直枠１０の間隔とほぼ同一の長さに形成されていた。このため、従来の組立足場７では、手摺部材１４の先に取り外された一端が、図１２下図に示したように、足場用板１６からズレ落ちてしまう場合があった。
【０００８】
そこで、本発明は、上記問題に鑑みてなされたものであり、本発明の目的とするところは、手摺部材の落下を防止することが可能な、新規かつ改良された組立足場および手摺部材を提供することにある。
【課題を解決するための手段】
【０００９】
上記課題を解決するために、本発明のある観点によれば、相互に第１の長さ離隔して並設される複数段の垂直枠と、隣接する２の垂直枠を連結する足場用板と、長手方向の両側に連結部を有し、隣接する２の垂直枠と前記連結部により連結される手摺部材とを備え、前記手摺部材と前記垂直枠との連結位置は、前記足場用板より第２の長さ高い位置であり、前記手摺部材の一側の連結部から他側の端までの長さは、前記第１の長さである辺、および前記第２の長さである辺を有する直角三角形の斜辺の長さ以上である、組立足場が提供される。
【００１０】
また、上記課題を解決するために、本発明の別の観点によれば、組立足場において水平方向に設けられる手摺部材であって、長手方向の両側に形成された２の貫通孔を有し、一側の貫通孔から前記手摺部材の他側の端までの長さは、４００ｍｍである辺、および前記２の貫通孔間の長さである辺を有する直角三角形の斜辺の長さ以上である、手摺部材が提供される。
【００１１】
また、上記課題を解決するために、本発明の別の観点によれば、四角形を構成する各頂点に配置される４の垂直棒と、前記四角形の４辺を構成するように前記４の垂直棒と連結される４の水平棒と、第１の長さの間隔で対向する一対の水平棒の上に配置される足場用板と、長手方向の両側に連結部を有し、隣接する２の垂直棒と前記連結部により連結される手摺部材と、を備え、前記手摺部材と前記垂直棒との連結位置は、前記足場用板より第２の長さ高い位置であり、前記手摺部材の一側の連結部から他側の端までの長さは、前記第１の長さである辺、および前記第２の長さである辺を有する直角三角形の斜辺の長さ以上であり、前記連結部は、前記手摺部材の長手方向に形成された開口部、および前記開口部に沿って移動可能な連結用部材を備える、組立足場が提供される。
【発明の効果】
【００１２】
以上説明したように本発明にかかる組立足場および手摺部材よれば、手摺部材の落下を防止することができる。
【図面の簡単な説明】
【００１３】
【図１】第１の実施形態による組立足場の構成を示した説明図である。
【図２】第１の実施形態による手摺部材の構成を示した説明図である。
【図３】手摺部材と垂直枠の連結の様子を示した説明図である。
【図４】手摺部材と垂直枠の連結の様子を示した説明図である。
【図５】組立足場の側面図である。
【図６】手摺部材の取り外しの過程を示した説明図である。
【図７】組立足場の模式図である。
【図８】第２の実施形態による組立足場の構成を示した説明図である。
【図９】第２の実施形態による手摺部材の構成を示した説明図である。
【図１０】カプラーが装着された手摺部材を示した説明図である。
【図１１】従来の組立足場の構成を示した説明図である。
【図１２】従来の組立足場において手摺部材を取り外す過程を示した説明図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
また、以下に示す項目順序に従って当該「発明を実施するための形態」を説明する。
１．第１の実施形態
１−１．第１の実施形態による組立足場
１−２．第１の実施形態による手摺部材の構成
２．第２の実施形態
２−１．第２の実施形態による組立足場
２−２．第２の実施形態による手摺部材の構成
３．まとめ
【００１６】
＜１．第１の実施形態＞
（１−１．第１の実施形態による組立足場）
図１は、第１の実施形態による組立足場１の構成を示した説明図である。図１に示したように、組立足場１は、相互に離隔して併設された複数段の垂直枠２０と、隣接する垂直枠２０の間に交差して配置される一組のブレス２２と、隣接する垂直枠２０の間に水平に配置される手摺部材２４と、隣接する垂直枠２０を連結する足場用板２６と、を備える。
【００１７】
なお、図１においては２段の垂直枠２０が水平方向に３組併設される例を示しているが、本実施形態はかかる例に限定されない。例えば、垂直枠２０の段数は３段以上の任意の段数であってもよく、水平方向での併設数も４組以上の任意の数であってもよい。
【００１８】
（１−２．第１の実施形態による手摺部材の構成）
図２は、第１の実施形態による手摺部材２４の構成を示した説明図である。図２に示したように、第１の実施形態による手摺部材２４は、本体部３４と、本体部３４の両側に形成された薄板部３１と、を備える。
【００１９】
薄板部３１は、貫通孔３２を有する。この貫通孔３２は、図３に示したように、垂直枠２０に設けられた突部２１が嵌入されることにより、手摺部材２４と垂直枠２０とを連結する連結部として機能する。なお、垂直枠２０に設けられた突部２１は、図４に示したように２の手摺部材２４の貫通孔３２に嵌入され、さらにブレス２２に形成された貫通孔に嵌入されてもよい。これは、同一側の貫通孔３２から薄板部３１の端までの長さ（図２に示した例では、８５ｍｍ）を、貫通孔３２から本体部３４までの長さ（図２に示した例では、１１５ｍｍ）より短く設計することにより実現可能である。
【００２０】
また、本実施形態による手摺部材２４は、図２に示したように貫通孔３２から薄板部３１の端までの長さが従来技術と比較して長くなっている（図２に示した例では、８５ｍｍ）。詳細については後述するが、かかる構成により、手摺部材２４の着脱時に手摺部材２４が落下してしまうことを防止できる。
【００２１】
図５は、組立足場１の側面図である。図５に示したように、各垂直枠２０は、第１の長さ（図３に示した例では、１８２９ｍｍ）離隔して配置される。また、手摺部材２４は、足場用板２６より第２の長さ（図３に示した例では、２４０ｍｍ）高い位置で垂直枠２０と連結される。
【００２２】
このような組立足場１における手摺部材２４の取り外しは、例えば、一方の貫通孔３２を突部２１から外した後に、他方の貫通孔３２を突部２１から外すことにより行われる。また、先に外された側の薄板部３１は、図６に示したように、足場用板２６または垂直枠２０の上に載置される。
【００２３】
ここで、本実施形態による手摺部材２４は、図２を参照して説明したように、貫通孔３２から薄板部３１の端までの長さが従来技術と比較して長くなっている。このため、図６に示したように、先に外された側の薄板部３１が垂直枠２０に引っ掛かるので、手摺部材２４がズレ落ちてしまうことを防止することが可能である。
【００２４】
以下、上記のような効果を得るための手摺部材２４の具体的な長さについて検討する。図７に示したように、垂直枠２０の間隔をａ、足場用板２６を基準とする手摺部材２４の連結位置の高さをｂとする。また、長さがａである辺、および長さがｂである辺を有する直角三角形の斜辺の長さをＬとする。
【００２５】
この場合、手摺部材２４の一側の貫通孔３２を外した時に、薄板部３１が垂直枠２０に引っ掛かるためには、外された側の薄板部３１の端から、垂直枠２０と連結している貫通孔３２までの長さが上記直角三角形の斜辺の長さＬ以上である必要がある。ここで、直角三角形の斜辺の長さＬは、三平方の定理より、「√（ａ２＋ｂ２）」と表現される。
【００２６】
したがって、本実施形態にかかる手摺部材２４においては、同一側の貫通孔３２から薄板部３１の端までの長さが、一側の貫通孔３２から他側の薄板部３１の端までの長さが「√（ａ２＋ｂ２）」以上となるように設計される。
【００２７】
例えば、図５に示した２４０ｍｍの辺、および１８２９ｍｍの辺を有する直角三角形の斜辺の長さＬは、約１８４４ｍｍである。これに対し、図２に示したように、本実施形態においては同一側の貫通孔３２から薄板部３１の端までの長さが８５ｍｍに設計されているため、一側の貫通孔３２から他側の薄板部３１の端までの長さは１９１４ｍｍである。
【００２８】
このように、本実施形態においては一側の貫通孔３２から他側の薄板部３１の端までの長さが直角三角形の斜辺の長さＬを上回っている。したがって、手摺部材２４の一側の貫通孔３２を外した時に、薄板部３１が垂直枠２０に引っ掛かるため、上記設計により手摺部材２４の落下を防止することが可能である。
【００２９】
別の観点から考察する。足場用板２６を基準とする手摺部材２４の連結位置の高さは、例外もあるが、通常、１５０ｍｍ〜４００ｍｍの範囲内である。そこで、連結位置の高さが４００ｍｍであった場合でも落下を防止可能なように手摺部材２４を設計してもよい。具体的には、一側の貫通孔３２から他側の薄板部３１の端までの長さが、４００ｍｍである辺、および両側の貫通孔３２間の長さである辺を有する直角三角形の斜辺の長さ以上になるように設計してもよい。かかる構成により、手摺部材２４の連結位置の高さにかかわらず、多くの場合に、手摺部材２４の落下を防止することが可能となる。
【００３０】
また、手摺部材２４の一側を外して足場用板２６または垂直枠２０の上に載置する際、手摺部材２４には撓みが生ずる場合がある。したがって、この撓みの発生を考慮し、一側の貫通孔３２から他側の薄板部３１の端までの長さを、上記直角三角形の斜辺の長さより、さらに所定値以上長く設計してもよい。所定値としては、１０ｍｍ、２０ｍｍ、３０ｍｍ、４０ｍｍなどの値や、手摺部材２４の長さの１％、２％など手摺部材２４の長さに応じた値が一例として挙げられる。
【００３１】
＜２．第２の実施形態＞
次に、図８〜図１０を参照し、本発明の第２の実施形態を説明する。
【００３２】
（２−１．第２の実施形態による組立足場）
図８は、第２の実施形態による組立足場２の構成を示した説明図である。図８に示したように、第２の実施形態による組立足場２は、垂直棒４２および水平棒４３からなる骨組と、手摺部材４４と、足場用板４６と、を備える。
【００３３】
組立足場２においては、４の垂直棒４２が四角形を構成する各頂点に配置される。そして、四角形の４辺を構成するように４の水平棒４３が４の垂直棒４２と連結される。なお、水平棒４３と垂直棒４２とは連結金具により連結される。また、手摺部材４４は、隣接する２の垂直棒４２と連結される。また、足場用板４６は、互いに平行な１または２以上の水平棒４３の上に配置される。
【００３４】
（２−２．第２の実施形態による手摺部材の構成）
図９は、第２の実施形態による手摺部材４４の構成を示した説明図である。図９に示したように、第２の実施形態による手摺部材４４は、本体部５４と、本体部５４の両側に形成された薄板部５１と、を備える。
【００３５】
薄板部５１は、手摺部材４４の長手方向に形成された開口部５２を有する。この開口部５２は、図１０に示したように、カプラー６０が装着される。このカプラーは、垂直棒４２と連結するための連結用部材である。また、職人は、カプラー６０を、開口部５２に沿って手摺部材４４の長手方向に移動させることが可能である。したがって、カプラー６０の位置を調整することにより、手摺部材４４と垂直棒４２との連結を容易に行うことが可能である。
【００３６】
また、本実施形態による手摺部材４４は、第１の実施形態と同様に、同一側の開口部５２と薄板部５１の端との間の長さが、手摺部材４４の落下を防止できるように設計されている。すなわち、手摺部材４４は、手摺部材４４の一側を垂直棒４２から外した時に、外された側の薄板部５１が水平棒４３に引っ掛かるように設計される。
【００３７】
例えば、水平棒４３の間隔（第１の長さ）が１８２９ｍｍ、足場用板４６を基準とする手摺部材２４の連結位置の高さ（第２の長さ）が２４０ｍｍである場合、第１の実施形態と同様の理由により、外された側の薄板部５１の端から垂直棒４２と連結しているカプラー６０までの長さは１８４４ｍｍ以上である必要がある。これに対し、本実施形態においては、カプラー６０が開口部５２の最も本体部５４よりに装着されている場合であっても、このカプラー６０と外された側の薄板部５１の端との間の長さは１８６４ｍｍである。したがって、本実施形態においても、手摺部材４４の一側を垂直棒４２から外した時に、薄板部５１が水平棒４３に引っ掛かるため、手摺部材４４の落下を防止することが可能である。
【００３８】
＜３．まとめ＞
以上説明したように、本発明の第１の実施形態によれば、手摺部材２４の一側の貫通孔３２を外した時に、薄板部３１が垂直枠２０に引っ掛かるため、手摺部材２４の落下を防止することが可能である。同様に、第２の実施形態においても、手摺部材４４の一側を垂直棒４２から外した時に、薄板部５１が水平棒４３に引っ掛かるため、手摺部材４４の落下を防止することが可能である。
【００３９】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４０】
例えば、第１の実施形態では、手摺部材２４の連結部の一例とし貫通孔３２を説明したが、第１の実施形態はかかる例に限定されない。例えば、垂直枠２０に嵌入口が形成される場合、手摺部材２４の連結部を、垂直枠２０の嵌入口に嵌入するための突部で構成してもよい。
【００４１】
また、第１の実施形態では、手摺部材２４の両側において、貫通孔３２から薄板部３１の端部までの長さを通常より長くする例を説明したが、本発明はかかる例に限定されない。例えば、手摺部材２４の片側においてのみ、貫通孔３２から薄板部３１の端部までの長さを通常より長くしてもよい。かかる構成においても、手摺部材２４を長くした側から外せば、薄板部３１が垂直枠２０に引っ掛かるため、手摺部材２４の落下を防止することが可能である。
【００４２】
また、第１の実施形態では、手摺部材２４を隣接する垂直枠２０に連結する例を説明したが、本発明はかかる例に限定されない。例えば、垂直枠２０Ａ、垂直枠２０Ｂ、垂直枠２０Ｃが順番に並設されていた場合、垂直枠２０Ａと垂直枠２０Ｃを連結するように手摺部材２４を設計してもよい。具体的には、手摺部材２４の長さを略２倍にし、中央にも垂直枠２０Ｂと連結するための貫通孔を設けてもよい。この場合、手摺部材２４の両側の貫通孔３２から薄板部３１の端部までを長くしなくても、手摺部材２４の片側を外した時に薄板部３１が垂直枠２０Ｂに引っ掛かるので、手摺部材２４の落下を防止することが可能である。したがって、手摺部材２４を複数の垂直枠２０にわたって連結する場合、手摺部材２４の両側の貫通孔３２から薄板部３１の端部までを長くしなくてもよい。
【符号の説明】
【００４３】
２０      垂直枠
２２      ブレス
２４、４４  手摺部材
２６、４６  足場用板
３１、５１  薄板部
３２        貫通孔
３４、５４  本体部
４２        垂直棒
４３        水平棒
５２        開口部
６０      カプラー
【図１】
2011012428.tif 000003
【図２】
2011012428.tif 000004
【図３】
2011012428.tif 000005
【図４】
2011012428.tif 000006
【図５】
2011012428.tif 000007
【図６】
2011012428.tif 000008
【図７】
2011012428.tif 000009
【図８】
2011012428.tif 000010
【図９】
2011012428.tif 000011
【図１０】
2011012428.tif 000012
【図１１】
2011012428.tif 000013
【図１２】
2011012428.tif 000014